【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
インクを吐出するための記録ヘッドと、
前記記録ヘッドと記録媒体との走査方向への相対的な走査であって、前記走査方向における第１の側から前記第１の側と反対の第２の側への第１の走査と、前記第１の走査の次の、前記走査方向に沿った前記第２の側から前記第１の側への第２の走査と、を少なくとも含む前記複数回の走査を行う走査手段と、
前記走査手段による前記複数回の走査を行いながら前記記録媒体上に対してインクを吐出させる記録制御手段と、
前記記録媒体を前記走査方向に沿って複数に分割して得られる複数の分割領域のそれぞれに対して加熱を行う加熱手段と、を有するインクジェット記録装置であって、
前記加熱手段は、前記第１の走査を行う場合において、前記複数の分割領域のうちの第１の分割領域の温度が、前記複数の分割領域のうちの前記第１の分割領域よりも前記走査方向における前記第２の側の端部から遠い第２の分割領域の温度よりも高くなるように加熱を行うことを特徴とするインクジェット記録装置。
【請求項２】
前記加熱手段は、前記第１の走査を行う場合において、前記複数の分割領域のうちの前記第２の分割領域よりも前記走査方向における前記第１の側の端部に近い第３の分割領域の温度が、前記第２の分割領域の温度よりも高くなるように加熱を行うことを特徴とする請求項１に記載のインクジェット記録装置。
【請求項３】
前記加熱手段は、前記第２の走査を行う場合において、前記複数の分割領域のうちの前記第２の分割領域よりも前記走査方向における前記第１の側の端部に近い第３の分割領域の温度が、前記第２の分割領域の温度よりも高くなるように加熱を行うことを特徴とする請求項１に記載のインクジェット記録装置。
【請求項４】
前記加熱手段は、前記第２の走査を行う場合において、前記第１の分割領域の温度が、前記第２の分割領域の温度よりも高くなるように加熱を行うことを特徴とする請求項２または３に記載のインクジェット記録装置。
【請求項５】
前記加熱制御手段は、前記第１の走査を行う場合において、前記分割領域の位置が前記走査方向における前記記録ヘッドの走査範囲の端部から中央部に向かうにしたがって前記分割領域の温度が漸次的に低くなるように加熱を行うことを特徴とする請求項１から４のいずれか１項に記載のインクジェット記録装置。
【請求項６】
前記複数回の走査のそれぞれにおける前記複数の分割領域のそれぞれへのインクの吐出量に関する情報を取得する取得手段を更に有し、
前記加熱手段は、前記取得手段により取得された前記情報が示す前記第１の走査における前記第１の分割領域へのインクの吐出量が第１の量である場合における、前記第１の走査での前記第１の分割領域の温度が、前記取得手段により取得された前記情報が示す前記第１の走査における前記第１の分割領域へのインクの吐出量が前記第１の量よりも少ない第２の量である場合における、前記第１の走査での前記第１の分割領域の温度よりも高くなるように加熱を行うことを特徴とする請求項１から５のいずれか１項に記載のインクジェット記録装置。
【請求項７】
前記複数回の走査のそれぞれにおける前記複数の分割領域のそれぞれへのインクの吐出量に関する情報を取得する第１の取得手段と、
前記第１の取得手段により取得された前記情報が示す前記複数回の走査のそれぞれにおける前記第１の分割領域へのインクの吐出量のうちの最大の量に関する情報を取得する第２の取得手段と、を更に有し、
前記加熱手段は、前記第１の取得手段により取得された前記情報が示す前記第１の分割領域へのインクの吐出量のうちの最大の量が第１の量である場合における、前記複数回の走査での前記第１の分割領域の温度が、（ｉｉ）前記第１の取得手段により取得された前記情報が示す前記第１の分割領域へのインクの吐出量のうちの最大の量が前記第１の量よりも少ない第２の量である場合における、前記複数回の走査での前記第１の分割領域の温度よりも高くなるように加熱を行うことを特徴とする請求項１から５のいずれか１項に記載のインクジェット記録装置。
【請求項８】
前記加熱手段は、前記複数の分割領域のそれぞれを加熱するための複数のヒータから構成されることを特徴とする請求項１から７のいずれか１項に記載のインクジェット記録装置。
【請求項９】
前記加熱手段は、前記複数のヒータのそれぞれの温度が、前記複数のヒータのそれぞれに対して予め設定された設定温度となるように加熱を行うことによって、前記複数の分割領域のそれぞれに対して加熱を行うことを特徴とする請求項８に記載のインクジェット記録装置。
【請求項１０】
前記複数の分割領域の前記走査方向における位置に関する情報と、前記設定温度に関する情報と、の関係を示すテーブルを記憶する記憶手段を更に有し、
前記加熱手段は、前記記憶手段により記憶されたテーブルを参照することにより前記複数の分割領域に対して加熱を行うことを特徴とする請求項９に記載のインクジェット記録装置。
【請求項１１】
記録する画像に対応する画像データを取得する第３の取得手段と、
前記第３の取得手段により取得された画像データに基づいて、前記記録媒体上の画像を記録する領域である画像記録領域を特定する特定手段と、を更に有し、
前記第１、第２の分割領域は、それぞれ前記走査方向において前記画像記録領域内に含まれることを特徴とする請求項１から１０のいずれか１項に記載のインクジェット記録装置。
【請求項１２】
前記加熱手段は、前記特定手段により特定された前記画像記録領域以外の前記分割領域に対して加熱を行わないことを特徴とする請求項１１に記載のインクジェット記録装置。
【請求項１３】
前記走査手段は、前記画像記録領域の前記走査方向における前記第２の側の端部を通過した後に前記記録媒体の前記走査方向における前記第２の側の端部に達することなく前記第１の走査を終了し、前記第２の走査を開始することを特徴とする請求項１１または１２に記載のインクジェット記録装置。
【請求項１４】
前記走査手段は、前記走査方向に沿った前記第１の側から前記第２の側への走査と、前記走査方向に沿った前記第２の側から前記第１の側への走査と、を交互に行うことを特徴とする請求項１から１３のいずれか１項に記載のインクジェット記録装置。
【請求項１５】
前記記録制御手段は、前記記録媒体上の単位領域に対して少なくとも前記第１、第２の走査を行いながらインクを吐出させることを特徴とする請求項１から１４のいずれか１項に記載のインクジェット記録装置。
【請求項１６】
前記インクは、熱可塑性エマルジョンを含有することを特徴とする請求項１から１５のいずれか１項に記載のインクジェット記録装置。
【請求項１７】
前記記録媒体は、塩化ビニルにより形成されていることを特徴とする請求項１から１６のいずれか１項に記載のインクジェット記録装置。
【請求項１８】
インクを吐出するための記録ヘッドを用いて画像を記録するインクジェット記録方法であって、
前記記録ヘッドと記録媒体との走査方向への相対的な走査であって、前記走査方向における第１の側から前記第１の側と反対の第２の側への第１の走査と、前記第１の走査の次の、前記走査方向に沿った前記第２の側から前記第１の側への第２の走査と、を少なくとも含む前記複数回の走査を行う走査工程と、
前記走査工程による前記複数回の走査を行いながら前記記録媒体上に対してインクを吐出させる記録制御工程と、
前記記録媒体を前記走査方向に沿って複数に分割して得られる複数の分割領域のそれぞれに対して加熱を行う加熱工程と、を有し、
前記加熱工程は、前記第１の走査を行う場合において、前記複数の分割領域のうちの第１の分割領域の温度が、前記複数の分割領域のうちの前記第１の分割領域よりも前記走査方向における前記第２の側の端部から遠い第２の分割領域の温度よりも高くなるように加熱を行うことを特徴とするインクジェット記録方法。
【手続補正２】
【補正対象書類名】明細書
【補正対象項目名】発明の名称
【補正方法】変更
【補正の内容】
【発明の名称】インクジェット記録装置およびインクジェット記録方法
【手続補正３】
【補正対象書類名】明細書
【補正対象項目名】０００１
【補正方法】変更
【補正の内容】
【０００１】
本発明はインクジェット記録装置およびインクジェット記録方法に関する。
【手続補正４】
【補正対象書類名】明細書
【補正対象項目名】００１１
【補正方法】変更
【補正の内容】
【００１１】
そこで、本発明は、インクを吐出するための記録ヘッドと、前記記録ヘッドと記録媒体との走査方向への相対的な走査であって、前記走査方向における第１の側から前記第１の側と反対の第２の側への第１の走査と、前記第１の走査の次の、前記走査方向に沿った前記第２の側から前記第１の側への第２の走査と、を少なくとも含む前記複数回の走査を行う走査手段と、前記走査手段による前記複数回の走査を行いながら前記記録媒体上に対してインクを吐出させる記録制御手段と、前記記録媒体を前記走査方向に沿って複数に分割して得られる複数の分割領域のそれぞれに対して加熱を行う加熱手段と、を有するインクジェット記録装置であって、前記加熱手段は、前記第１の走査を行う場合において、前記複数の分割領域のうちの第１の分割領域の温度が、前記複数の分割領域のうちの前記第１の分割領域よりも前記走査方向における前記第２の側の端部から遠い第２の分割領域の温度よりも高くなるように加熱を行うことを特徴とする。
【手続補正５】
【補正対象書類名】明細書
【補正対象項目名】００１２
【補正方法】削除
【補正の内容】